(57)【要約】音波を電気的な音声信号に変換し、電波を介して音声信号を送信するワイヤレスマイクロホンであって、ワイヤレスマイクロホンの電波の送信周波数と送信出力の組み合わせからなる設定値を識別情報に関連付けて記憶する記憶手段と、識別情報を当該マイクロホンの外部から取得する取得手段と、取得手段によって取得された識別情報に基づいて、記憶手段に記憶されている設定値を読み出す手段と、読み出された設定値に基づいて、音声信号を変調した電波を発信する手段と、を有し、使用地域に応じた適法な送信周波数及び送信出力を自動設定することができるワイヤレスマイクロホン及びワイヤレスマイクロホンシステムを得る。
2010044306.tif 000002
【特許請求の範囲】
【請求項１】
音波を電気的な音声信号に変換し、電波を介して上記音声信号を送信するワイヤレスマイクロホンであって、
上記ワイヤレスマイクロホンの電波の送信周波数と送信出力の組み合わせからなる設定値を識別情報に関連付けて記憶する記憶手段と、
上記識別情報を、当該マイクロホンの外部から取得する取得手段と、
上記取得手段によって取得された識別情報に基づいて、上記記憶手段に記憶されている設定値を読み出す手段と、
上記読み出された設定値に基づいて、上記音声信号を変調した電波を発信する手段と、を有するワイヤレスマイクロホン。
【請求項２】
上記識別情報は、当該マイクロホンを動作させている地域を表す情報であり、
上記記憶手段に記憶される設定値は、上記識別情報が表す地域において適法に使用することができる周波数と送信出力の組み合わせである請求の範囲第１項記載のワイヤレスマイクロホン。
【請求項３】
上記取得手段は、ＦＭ放送波を受信する手段と、受信したＦＭ放送波に含まれるＲＤＳデータをデコードする手段と、上記ＲＤＳデータによって上記識別情報を特定する手段と、を有する請求の範囲第１項記載のワイヤレスマイクロホン。
【請求項４】
音波を電気的な音声信号に変換し、電波を介して上記音声信号を送信するワイヤレスマイクロホンと、上記ワイヤレスマイクロホンから送信された電波を受信して復調し音声信号を出力する受信機と、を備えたワイヤレスマイクロホンシステムであって、
上記ワイヤレスマイクロホンは、使用する電波の送信周波数と送信出力の組み合わせからなる設定値を識別情報に関連付けて記憶する記憶手段と、上記識別情報を、当該マイクロホンの外部から取得する取得手段と、上記取得手段によって取得された識別情報に基づいて、上記記憶手段に記憶されている設定値を読み出す手段と、上記読み出された設定値に基づいて、上記音声信号を変調した電波を発信する手段と、上記設定値を上記受信機に通知する手段と、を有し、
上記受信機は、上記マイクロホンから通知された設定値に基づいて電波を受信する手段と、上記受信した電波を復調して、音声信号を出力する手段と、を有するワイヤレスマイクロホンシステム。
【請求項５】
上記識別情報は、当該マイクロホンを動作させている地域を表す情報であって、
上記記憶手段に記憶される設定値は、上記識別情報が表す地域において、適法に使用することができる周波数と送信出力の組み合わせである請求の範囲第４項記載のワイヤレスマイクロホンシステム。
【請求項６】
上記取得手段は、ＦＭ放送波を受信する手段と、受信したＦＭ放送波に含まれるＲＤＳデータをデコードする手段と、上記ＲＤＳデータによって上記識別情報を特定する手段と、を有することを特徴とする請求の範囲第４項記載のワイヤレスマイクロホンシステム。
【発明の詳細な説明】
【技術分野】
【０００１】
本発明は、ワイヤレスマイクロホン及びワイヤレスマイクロホンシステムであって、特に、使用地域に応じた適法な送信周波数及び送信出力を自動設定することができるワイヤレスマイクロホン及びワイヤレスマイクロホンシステムに関するものである。
【背景技術】
【０００２】
ワイヤレスマイクロホンは、音声を電気信号に変換し、この電気信号を変調して無線信号として送信する。ワイヤレスマイクロホンシステムは、ワイヤレスマイクロホンと、このワイヤレスマイクロホンが送信した電波を受信して復調した電気信号をスピーカから出力する受信機によって構成される。以下、ワイヤレスマイクロホンとワイヤレスマイクロホンシステムを総称して「ワイヤレスマイクロホン等」という。これらに使用する無線信号の周波数と、その送信出力（送信電力）は、これらを使用する国や地域（以下「使用エリア」という）ごとに、法律で規定されているので、製造メーカや利用者が自由に設定することはできない。よって、製造メーカは、製造または出荷の段階で販売先の法律に適した周波数のみを使用できるように設定した上で販売している。
個別に設定を要するこのようなワイヤレスマイクロホンシステム等は、当然ながら生産効率が悪い。また、製品出荷後において、ワイヤレスマイクロホン等を使用する国を変えるときは、新たにその国の電波法に合わせた設定を備えたワイヤレスマイクロホン等が必要になる。
国が近接している欧州地域などで使用が予定されるワイヤレスマイクロホン等の場合は、欧州各国別に周波数と送信出力を設定する煩雑さを避けるために、欧州全体をカバーする全ての周波数と送信出力の組み合わせを設定可能に構成したワイヤレスマイクロホン等を用いる。これは、予め記憶されている設定から、利用者が利用開始時に当該使用エリアに適した設定を選択するものである。
このようなワイヤレスマイクロホン等は、各国の電波法に照らして使用可能な周波数を適切に選択する必要があり、設定ミスをすると、法律違反の原因となる。
欧州など、国が隣接する地域では、ＦＭ放送用の電波も、隣国のものを多数受信できてしまうので、自国のＦＭ放送を聴きたいユーザにとっては不便である。これを解消するために、ＦＭ放送波に含まれる国コードなどを識別し、受信したい国を限定し、その国の放送局が使用している周波数を選択して受信することができるラジオ受信機が知られている。（特許文献１を参照）。
【特許文献１】特開２００１−３３２９６０号公報
【０００３】
特許文献１に記載されている受信機のように、ワイヤレスマイクロホン等においても、使用エリアに応じて、使用可能な周波数と送信出力を自動的に判別し、適法な電波使用となる設定を自動的に行うことができるものが望まれている。しかし、そのようなワイヤレスマイクロホン及びワイヤレスマイクロホンシステムは未だ知られていない。
【発明の開示】
【発明が解決しようとする課題】
【０００４】
本発明は、このような課題を鑑みてなされたもので、使用エリアにおいて適法に使用可能な周波数及び送信出力を自動的に設定することができるワイヤレスマイクロホン及びワイヤレスマイクロホンシステムを提供することを目的とする。
【課題を解決するための手段】
【０００５】
本発明は、音波を電気的な音声信号に変換し、電波を介して音声信号を送信するワイヤレスマイクロホンであって、ワイヤレスマイクロホンの電波の送信周波数と送信出力の組み合わせからなる設定値を識別情報に関連付けて記憶する記憶手段と、識別情報を当該マイクロホンの外部から取得する取得手段と、取得手段によって取得された識別情報に基づいて記憶手段に記憶されている設定値を読み出す手段と、読み出された設定値に基づいて音声信号を変調した電波を発信する手段と、を有することを主な特徴とする。
また、本発明は、音波を電気的な音声信号に変換し、電波を介して音声信号を送信するワイヤレスマイクロホンと、上記ワイヤレスマイクロホンから送信された電波を受信して復調し音声信号を出力する受信機と、を備えたワイヤレスマイクロホンシステムであって、ワイヤレスマイクロホンは、使用する電波の送信周波数と送信出力の組み合わせからなる設定値を識別情報に関連付けて記憶する記憶手段と、識別情報を当該マイクロホンの外部から取得する取得手段と、取得手段によって取得された識別情報に基づいて記憶手段に記憶されている設定値を読み出す手段と、読み出された設定値に基づいて音声信号を変調した電波を発信する手段と、設定値を上記受信機に通知する手段と、を有し、受信機は、マイクロホンから通知された設定値に基づいて電波を受信する手段と、受信した電波を復調して音声信号を出力する手段と、を有することを特徴とする。
上記識別情報は、当該マイクロホンを動作させている地域を表す情報とし、記憶手段に記憶される設定値は、識別情報が表す地域において、適法に使用することができる周波数と送信出力の組み合わせにするとよい。
上記取得手段は、ＦＭ放送波を受信する手段と、受信したＦＭ放送波に含まれるＲＤＳデータをデコードする手段と、ＲＤＳデータによって識別情報を特定する手段と、を有する構成にするとよい。
【発明の効果】
【０００６】
本発明によれば、ワイヤレスマイクロホン及びワイヤレスマイクロホンシステムにおいて、使用可能な周波数や送信出力を自動的に設定することができるようになる。また、本発明によれば、異なる国や異なる地域をまたいで移動したときであっても、その地域に適した周波数等を設定することができるので、利用者が各国法制度を知らなくても、安全に使用することができるようになる。
【図面の簡単な説明】
【０００７】
第１図は、本発明に係るワイヤレスマイクロホンの実施例を示すブロック図である。
第２図は、上記ワイヤレスマイクロホンの動作の流れを示すフローチャートである。
第３図は、本発明に係るワイヤレスマイクロホンシステムに用いることができる受信機の例を示すブロック図である。
第４図は、上記ワイヤレスマイクロホンシステムの動作の流れを示すフローチャートである。
第５図は、本発明に係るワイヤレスマイクロホンシステムの実施例を示すブロック図である。
【発明を実施するための最良の形態】
【０００８】
以下、本発明に係るワイヤレスマイクロホンの実施例について図面を参照しながら説明する。図１は、本発明に係るワイヤレスマイクロホンの構成を示すブロック図である。図１において、ワイヤレスマイクロホン１が使用可能な周波数と送信出力の設定を選択する元になる識別情報を、当該ワイヤレスマイクロホン１の外部から取得する取得手段であるＦＭラジオチューナー部１０、取得した識別情報に基づいて当該ワイヤレスマイクロホン１が使用する周波数と、その送信出力を規定する設定値を読み出し、これによって動作制御をする制御部２０、制御部２０の指示に基づいて音声信号を電波に変調して送信する送信部３０を有してなる。
ＦＭラジオチューナー部１０は、アンテナ１１と、ミキサ回路１６と、ＶＣＯ１２と、ＰＬＬ回路（以下、単に「ＰＬＬ」という）１３と、ＦＭ復調器１４と、バンドパスフィルター（以下、「ＢＰＦ」という）１５と、を有してなる。
アンテナ１１は、ＦＭ放送波を受信するためのアンテナである。このアンテナ１１にて受信された電波が、ＰＬＬ１３とＶＣＯ１２によって構成されるシンセサイザ方式の局部発振回路から供給された信号とミキサ１６において混合されることで、所定の周波数の放送波が抽出される。
抽出された放送信号は、ＦＭ復調器１４に供給される。ＰＬＬ１３はＣＰＵ２１の指示によりＶＣＯ１２の局部発振周波数を変化させてＦＭ放送波を変更できるように構成されている。
抽出された放送波はＦＭ復調器１４によって、オーディオ信号と識別情報であるＲＤＳデータによって変調された信号（ＲＤＳ変調信号）として出力される。このＲＤＳ変調信号はＢＰＦ１５を通過して、オーディオ信号が除去されて、制御部２０のＲＤＳデータ復調器２３に供給される。
制御部２０は、ＣＰＵ２１と、メモリ２２と、ＲＤＳデコーダ２３と、を有してなる。
ＲＤＳデコーダ２３は、ＢＰＦ１５を通じて供給されるＲＤＳ変調信号を、ＲＤＳデータに復調する手段であって、復調されたＲＤＳデータに対してエラー訂正処理などを行った後に識別情報であるＲＤＳデータをＣＰＵ２１に供給する。
ＣＰＵ２１は、ＲＤＳデコーダ２３から供給されたＲＤＳデータに基づいて、メモリ２２に記憶されている設定情報を読み出す。また、ＣＰＵ２１には、図示しない各種操作キー（操作スイッチ）が接続されるとともに、ＦＭ放送波の受信電界強度や後述する送信電波の送信レベル（送信電界強度）を表示する図示しないディスプレイが接続され、ＣＰＵ２１の制御のもとに上記ディスプレイに当該ワイヤレスマイクロホン１の動作状態の表示を行う。
メモリ２２は、国または地域を一意に示す識別情報と、当該国または地域において適法に使用可能な周波数と送信出力を対応付けているテーブルデータを記憶する。したがってＣＰＵ２１は、ＲＤＳデータから識別情報を特定し、この識別情報に対応付けて記憶されている周波数と送信出力をメモリ２２から読み出す。
送信部３０は、マイクロホン（以下、「ＭＩＣ」という）３１と、オーディオ回路３６と、高周波増幅回路３７と、ＶＣＯ３２と、ＰＬＬ３３と、出力制限回路３４と、アンテナ３５と、を有してなる。
ＭＩＣ３１は、音声を電気信号に変換する。ＶＣＯ３２とＰＬＬ３３はＣＰＵ２１がメモリ２２から読み出した設定情報に基づいて決定する周波数の信号を高周波増幅回路３７に供給する。ＶＣＯ３２は、ＭＩＣ３１から入力される電気信号を変調し高周波増幅回路３７に出力する。出力制限回路３４は、ＣＰＵ２１がメモリ２２から読み出した設定情報に基づいて送信出力を制御する。アンテナ３５は出力制限回路３４から出力される電波を受信機に向けて送信する。
上記構成を有するワイヤレスマイクロホン１によれば、音声信号を電波に乗せて出力する際に用いる電波の周波数とその送信出力を、当該マイクロホン１の使用エリアにおいて適法な周波数と出力に自動的に設定することができる。したがって、電波の周波数と出力を利用者が個別に設定を変更する煩雑さを解消し、また、設定ミスによる法律違反を防止することができるワイヤレスマイクロホンを得ることができる。
上記ワイヤレスマイクロホン１の動作の流れについて、図２のフローチャートを用いて説明する。図２において、各処理ステップはＳ１，Ｓ２・・・のように表されている。当該ワイヤレスマイクロホン１の動作が開始されると、まず、ＣＰＵ２１がＰＬＬ１３へ供給するデータを変化させて、受信可能な放送波を順次受信する（Ｓ１）。次に、ＦＭ復調器１４が受信した放送波の受信電界強度（Ｓメータ電圧）をＣＰＵ２１に供給し、ＣＰＵ２１においてＳメータ電圧が規定値以上であるか否かを判定する（Ｓ２）。
Ｓメータ電圧が規定値以下であれば、ＣＰＵ２１はＰＬＬ１３へ供給するデータを変化させて、次の放送波を受信できるように制御する（Ｓ２のＮ）。受信した放送波のＳメータ電圧が規定値以上のとき、この放送波をＦＭ復調器１４において復調し、ＢＰＦ１５を介してＲＤＳ変調信号を得る。このＲＤＳ変調信号をＲＤＳデコーダ２３によってデコードしてＣＰＵ２１に通知する。ＣＰＵ２１はＲＤＳデータからＰＩコードを取得して（Ｓ３）、図示しない記憶領域にＰＩコード及びこのＰＩコードの取得回数を一時的に記憶する（Ｓ４）。
ＲＤＳデータとは、ＦＭラジオ放送におけるデータ多重方式であるＲＤＳ方式を用いて配信されるデータであって、聴取者に様々なサービスを提供する機能を実現するためのものである。ＰＩコードとは、ＲＤＳデータに含まれる識別情報の一種であって、１６ビットで構成されていてそのうちの４ビットが国を判別するための国コードである。国コードは、一意に国を識別できるように付与されている数値である。
次に、上記ＰＩコードの取得回数が、指定回数ｎであるか否かを判定する（Ｓ５）。指定回数ｎは、当該地域がどの国に属するかを判断するのに必要かつ十分な回数である。すなわち、最初に指定回数ｎに達したＰＩコードが示す国を、当該ワイヤレスマイクロホン１の使用エリアとする。
次に、指定回数ｎに達したＰＩコードを識別情報として、メモリ２２に記憶されている周波数と出力設定の値をＣＰＵ２１が読み出す（Ｓ５，Ｓ６）。読み出された周波数データをＰＬＬ３３に供給し、これによってＶＣＯ３２を動作させる。また、読み出された出力設定を出力制限回路３４に供給し、送信する電波の出力の設定をする（Ｓ８）。
このように、本実施例にかかるワイヤレスマイクロホン１によれば、動作を開始したとき（電源を投入したとき）にまず、当該使用エリアで受信可能なＦＭ放送波を受信して、使用する周波数と送信出力を設定する。その後、ＭＩＣ３１において入力された音声信号が電気信号に変換され、上記の手順で設定された周波数を用いて変調されて、上記の手順で設定された送信出力に基づいて、アンテナ３５から送信される。
アンテナ３５から送信された電波は受信機において、受信され復調され音声信号となり、図示しないスピーカから出力される。
次に、本発明に係るワイヤレスマイクロホンシステムの実施例について図面を参照しながら説明する。図３は、本発明に係るワイヤレスマイクロホンシステムの実施例を示すブロック図である。図３において、ワイヤレスマイクロホンシステム３は、すでに説明したワイヤレスマイクロホン１と、このワイヤレスマイクロホン１に対応する受信機２を有してなる。ここでは、受信機２について詳細に説明する。受信機２は、外部から識別情報を取得する取得手段であるＦＭラジオチューナー部１００、識別情報に基づいて設定値を読み出し、当該受信機２の動作を制御する制御部２００、制御部２００の指示に基づいて電波を受信する受信部３００を有してなる。
ＦＭラジオチューナー部１００は、アンテナ１０１と、ミキサ回路１０６と、ＶＣＯ１０２と、ＰＬＬ１０３と、ＦＭ復調器１０４と、ＢＰＦ１０５と、を有してなる。
アンテナ１０１は、ＦＭ放送波を受信するためのアンテナである。このアンテナ１０１にて受信された電波がミキサ１０６でＰＬＬ１０３とＶＣＯ１０２によって構成されるシンセサイザ方式の局部発振回路から供給された信号と混合されることで、所定の周波数の放送波が抽出される。抽出された放送信号は、ＦＭ復調器１０４に供給される。ＰＬＬ１０３はＣＰＵ２０１の指示によりＶＣＯ１０２の局部発振周波数を変化させてＦＭ放送波を変更できるように構成されている。
抽出された放送波はＦＭ復調器１０４によって、オーディオ信号と識別情報であるＲＤＳデータによって変調されたＲＤＳ変調信号として出力される。このＲＤＳ変調信号はＢＰＦ１０５を通過して、制御部２００のＲＤＳデコーダ２０３に供給される。
制御部２００は、ＣＰＵ２０１、メモリ２０２、ＲＤＳデコーダ２０３、を有してなる。
ＲＤＳデコーダ２０３は、ＢＰＦ１０５を通じて供給されるＲＤＳ変調信号をＲＤＳデータに復調する手段であって、復調されたＲＤＳデータに対してエラー訂正処理などを行った後に識別情報であるＲＤＳデータをＣＰＵ２０１に供給する。
ＣＰＵ２０１は、ＲＤＳデコーダ２０３から供給されたＲＤＳデータに基づいて、メモリ２０２に記憶されている設定情報を読み出し、ＰＬＬ３０３と、ＶＣＯ３０２と、オーディオ回路３０６と、アンプ回路３０４を制御する。また、ＣＰＵ２０１には、図示しない各種操作キー（操作スイッチ）が接続され、また、ＦＭ放送波の受信電界強度や後述する送信電波の送信レベル（送信電界強度）を表示するための図示しないディスプレイが接続され、ＣＰＵ２０１は、上記各種操作キーの操作に基づき当該受信機２の動作設定を行い、また、上記ディスプレイに動作状態の表示を行う。
メモリ２０２は、国または地域を一意に示す識別情報と、当該地域において適法に使用可能な周波数と送信出力値を対応付けているテーブルデータを記憶する。したがってＣＰＵ２０１は、ＲＤＳデータから識別情報を特定し、この識別情報に対応付いて記憶されている周波数と送信出力をメモリ２０２から読み出す。
受信部３００は、ワイヤレスマイクロホン１から送信された電波を受信するアンテナ３０５、アンテナ３０５が受信した電波を周波数変換するミキサ回路３０７、局部発振信号を生成するＶＣＯ３０２とＰＬＬ３０３、周波数変換された信号を復調する復調回路３０１、復調回路３０１の出力信号に所定の処理を行うオーディオ回路３０６、取り出された音声信号に所定の増幅処理を行って、スピーカなどの出力装置に出力するアンプ回路３０４を有してなる。
上記構成を有する受信機２によれば、ワイヤレスマイクロホン１が使用する周波数と同じ周波数を受信するように自動的に設定することができる。よって、使用エリアに応じて、適法な周波数と送信出力を自動的に選択するワイヤレスマイクロホンシステムを得ることができる。
上記の構成を備えるワイヤレスマイクロホンシステム３の動作の流れについて、図４のフローチャートを用いて説明する。ワイヤレスマイクロホンシステム３は、すでに説明したワイヤレスマイクロホン１と対をなす受信機２を備えている。ワイヤレスマイクロホン１の動作の流れはすでに説明した通りであるので、ここでは、図４を用いて受信機２の動作の流れについて説明する。なお、図４において、各処理ステップはＳ１０，Ｓ２０・・・のように表されている。
当該受信機２の動作が開始されると、まず、ＣＰＵ２０１がＰＬＬ１０３へ供給するデータを可変し周波数をスキャンしながら当該使用エリアで受信可能な放送波を順次受信する（Ｓ１０）。次に、受信した放送波の受信電界強度（Ｓメータ電圧）をＦＭ復調器１０４がＣＰＵ２０１に供給し、ＣＰＵ２０１において、Ｓメータ電圧が規定値以上であるか否かを判定する。
Ｓメータ電圧が規定値以下であれば、ＣＰＵ２０１はＰＬＬを制御して次の放送波を受信する（Ｓ２０のＮ）。受信した放送波のＳメータ電圧が規定値以上であれば、この放送波をＦＭ復調器１０４において復調し、ＢＰＦ１０５を介してＲＤＳ変調信号を得る。次に、ＲＤＳ変調信号をＲＤＳデコーダ２０３によってデコードしＣＰＵ２０１に通知する。ＣＰＵ２０１はＲＤＳデータからＰＩコードを取得して（Ｓ３０）、図示しない一時記憶領域にＰＩコード及びこのＰＩコードの取得回数を記憶する（Ｓ４０）。
次に、取得したＰＩコードの取得回数が、指定回数ｎであるか否かを判定する（Ｓ５０）。最初に指定回数ｎに達したＰＩコードが示す国を、当該受信機２の使用エリアとする。
次に、指定回数ｎに達した取得したＰＩコードを識別情報として、メモリ２０２に記憶されている周波数データを読み出す（Ｓ５０，Ｓ６０）。読み出された周波数データをＰＬＬ３０３に供給し、これによってＶＣＯ３０２を動作させて、受信する周波数を設定する（Ｓ８０）。
このように動作する受信機２によれば、動作を開始したとき（電源を投入したとき）にまず、当該使用エリアで受信可能なＦＭ放送波を受信して、ワイヤレスマイクロホン１が使用する周波数と同じ周波数の電波を受信するように設定することができる。その後、アンテナ３０５において受信した電波を、設定された周波数によって検波し、復調して、所定の増幅処理を行った後に、図示しないスピーカから出力することができる。
次に、本発明に係るワイヤレスロホンシステムのさらに別の実施例について図面を参照しながら説明する。図５は、本発明に係るワイヤレスマイクロホンシステムの構成の例を示すブロック図である。図３において、すでに説明をしたワイヤレスマイクロホン１及び受信機２の構成と異なる構成について説明をする。
ワイヤレスマイクロホン１ａは、前記ワイヤレスマイクロホン１と同様にＦＭチューナー部１０、制御部２０を有するとともに、識別情報送信回路３８を備えた送信部３０ａを有してなる。また、受信機２ａは、前記ＦＭチューナー部１００に相当する構成は備えておらず、受信機２と同様の構成を有する受信部３００のほかに、識別情報受信回路３０８を備えた制御部２００ａを有してなる。
識別情報送信回路３８は、ＲＤＳデータに含まれる識別情報であるＰＩデータを、近距離無線通信方式を用いて受信機２ａに送信するための近距離無線送信回路である。近距離無線通信方式には、赤外線通信、ＢｌｕｅＴｏｏｔｈ（登録商標）、またはＦＭ微弱電波などを用いることができ、ワイヤレスマイクロホン１ａと受信機２ａの距離が数メートルであって、この間を無線方式で情報通信できる方式であればよい。
識別情報受信回路３０８は、上記識別情報送信回路３８から送信された識別情報を受信して、この識別情報をＣＰＵ２０１に通知する受信回路である。識別情報受信回路３０８がワイヤレスマイクロホン１ａから受信した識別情報に基づいて、ＣＰＵ２０１はメモリ２０２から該当する設定情報を読み出して、上述したとおり、受信部３００の動作を制御する。
上記のように構成されたワイヤレスマイクロホンシステムによれば、使用エリアに応じた周波数と送信出力をワイヤレスマイクロホンが自動的に設定し、この設定内容をワイヤレスマイクロホンから受信機に通知し、受信機側でもワイヤレスマイクロホンの設定した周波数をもって受信設定をすることができるので、使用エリアにおいて適法な周波数と送信出力によって動作するワイヤレスマイクロホンシステムを得ることができる。
【産業上の利用可能性】
【０００９】
本発明に係るワイヤレスマイクロホンおよびワイヤレスマイクロホンシステムは、放送局、録音スタジオ、会議場、イベント会場、その他あらゆる用途に使用することができる。また、国をまたぐことによって電波に関する法規が異なったとしても、その地域の法規に適合するように自動的に使用周波数が設定されるため、製造段階から仕向け地ごとに設定を変える煩雑さを回避することができ、ユーザにおいても、使用地域が変わるごとに設定を変更する煩雑さを回避することができる。
【図１】
2010044306.tif 000003
【図２】
2010044306.tif 000004
【図３】
2010044306.tif 000005
【図４】
2010044306.tif 000006
【図５】
2010044306.tif 000007
【国際調査報告】
2010044306.tif 000008
2010044306.tif 000009
2010044306.tif 000010
2010044306.tif 000011